(57)【要約】【課題】地域や日時に応じた最適な衣装の提供を支援すること。【解決手段】顧客に関する情報と、当該顧客の身体サイズに関する情報と、当該顧客の画像情報と、を関連付けして登録する顧客データベース４００と、地域に関する情報と、当該地域での日時に対応する衣装に関する情報と、当該衣装の画像情報と、を関連付けして登録する衣装データベース５００と、地域に関する情報と、当該地域での日時に対応する背景画像に関する情報とを関連付けして登録する背景データベース６００と、を備え、入力された地域情報および日時情報に基づいて抽出した背景画像と、入力された地域情報、日時情報および顧客の身体サイズに適した衣装を着用した顧客の画像とを合成し、合成に用いた衣装に関する情報に基づいて、当該衣装の購入または貸出依頼情報を生成するようにした。【選択図】図９
2010250754.tif 000002
【特許請求の範囲】
【請求項１】
顧客に関する情報と、当該顧客の身体サイズに関する情報と、当該顧客の画像情報と、を関連付けして登録する顧客データベースと、
地域に関する情報と、当該地域での日時に対応する衣装に関する情報と、当該衣装の画像情報と、を関連付けして登録する衣装データベースと、
前記地域に関する情報と、当該地域での日時に対応する背景画像に関する情報とを関連付けして登録する背景データベースと、
顧客に関する情報、地域情報および日時情報の入力を受け付ける入力手段と、
前記入力手段によって入力された地域情報および日時情報に基づいて、前記背景データベースから前記地域の背景画像に関する情報を抽出する背景情報抽出手段と、
前記入力手段によって入力された顧客に関する情報に基づいて、当該顧客の身体サイズに関する情報および当該顧客の画像情報を前記顧客データベースから抽出する顧客情報抽出手段と、
前記入力手段によって入力された地域情報および日時情報に基づいて、衣装に関する情報および当該衣装の画像情報を前記衣装データベースから抽出する衣装情報抽出手段と、
前記背景情報抽出手段によって抽出された背景画像に関する情報に、前記顧客情報抽出手段によって抽出された前記顧客の画像情報および前記衣装情報抽出手段によって抽出された前記衣装の画像情報を合成する画像合成手段と、
前記顧客情報抽出手段によって抽出された前記顧客の身体サイズに関する情報および前記衣装情報抽出手段によって抽出された前記衣装に関する情報に基づいて、当該衣装の購入または貸出依頼情報を生成する生成手段と、
を備えたことを特徴とする衣装提供支援装置。
【請求項２】
前記生成された情報にかかる衣装に関する情報のうちの当該衣装を扱う店舗に関する情報に基づいて、前記生成手段によって生成された情報を、当該店舗の情報処理端末へ送信する生成情報送信手段を備えたことを特徴とする請求項１に記載の衣装提供支援装置。
【請求項３】
前記画像合成手段によって合成された画像情報を、前記顧客の情報処理端末へ送信する画像情報送信手段を備えたことを特徴とする請求項１または２に記載の衣装提供支援装置。
【請求項４】
前記画像情報送信手段は、前記画像情報とともに、当該衣装の価格に関する情報を送信することを特徴とする請求項３に記載の衣装提供支援装置。
【請求項５】
前記顧客の情報処理端末からの購入または貸出指示を受信する受信手段を備え、
前記生成手段は、前記受信手段によって受信された指示に基づいて、当該衣装の購入または貸出依頼情報を生成することを特徴とする請求項３または４に記載の衣装提供支援装置。
【請求項６】
顧客データベースには、前記顧客の同伴者についても、顧客と同様の情報を登録してあり、
前記入力手段は、顧客の同伴者に関する情報を入力し、
前記画像合成手段は、前記同伴者も含めて合成し、
前記生成手段は、前記同伴者の衣装の購入または貸出依頼情報を生成することを特徴とする請求項１〜５のいずれか一つに記載の衣装提供支援装置。
【請求項７】
顧客に関する情報と、当該顧客の身体サイズに関する情報と、当該顧客の画像情報と、を関連付けして登録する顧客データベースと、
地域に関する情報と、当該地域での日時に対応する衣装に関する情報と、当該衣装の画像情報と、を関連付けして登録する衣装データベースと、
前記地域に関する情報と、当該地域での日時に対応する背景画像に関する情報とを関連付けして登録する背景データベースと、
入力手段と、背景情報抽出手段と、顧客情報抽出手段と、衣装情報抽出手段と、画像合成手段と、生成手段と、を備えた衣装提供支援装置に用いる衣装提供支援方法であって、
前記入力手段が、顧客に関する情報、地域情報および日時情報の入力を受け付ける入力工程と、
前記背景情報抽出手段が、前記入力工程によって入力された地域情報および日時情報に基づいて、前記背景データベースから前記地域の背景画像に関する情報を抽出する背景情報抽出工程と、
前記顧客情報抽出手段が、前記入力工程によって入力された顧客に関する情報に基づいて、当該顧客の身体サイズに関する情報および当該顧客の画像情報を前記顧客データベースから抽出する顧客情報抽出工程と、
前記衣装情報抽出手段が、前記入力工程によって入力された地域情報および日時情報に基づいて、衣装に関する情報および当該衣装の画像情報を前記衣装データベースから抽出する衣装情報抽出工程と、
前記画像合成手段が、前記背景情報抽出工程によって抽出された背景画像に関する情報に、前記顧客情報抽出工程によって抽出された前記顧客の画像情報および前記衣装情報抽出工程によって抽出された前記衣装の画像情報を合成する画像合成工程と、
前記生成手段が、前記顧客情報抽出工程によって抽出された前記顧客の身体サイズに関する情報および前記衣装情報抽出工程によって抽出された前記衣装に関する情報に基づいて、当該衣装の購入または貸出依頼情報を生成する生成工程と、
を含んだことを特徴とする衣装提供支援方法。
【請求項８】
顧客に関する情報と、当該顧客の身体サイズに関する情報と、当該顧客の画像情報と、を関連付けして登録する顧客データベースと、
地域に関する情報と、当該地域での日時に対応する衣装に関する情報と、当該衣装の画像情報と、を関連付けして登録する衣装データベースと、
前記地域に関する情報と、当該地域での日時に対応する背景画像に関する情報とを関連付けして登録する背景データベースと、
入力手段と、背景情報抽出手段と、顧客情報抽出手段と、衣装情報抽出手段と、画像合成手段と、生成手段と、を備えた衣装提供支援装置に用いる衣装提供支援プログラムであって、
前記入力手段が、顧客に関する情報、地域情報および日時情報の入力を受け付ける入力工程と、
前記背景情報抽出手段が、前記入力工程によって入力された地域情報および日時情報に基づいて、前記背景データベースから前記地域の背景画像に関する情報を抽出する背景情報抽出工程と、
前記顧客情報抽出手段が、前記入力工程によって入力された顧客に関する情報に基づいて、当該顧客の身体サイズに関する情報および当該顧客の画像情報を前記顧客データベースから抽出する顧客情報抽出工程と、
前記衣装情報抽出手段が、前記入力工程によって入力された地域情報および日時情報に基づいて、衣装に関する情報および当該衣装の画像情報を前記衣装データベースから抽出する衣装情報抽出工程と、
前記画像合成手段が、前記背景情報抽出工程によって抽出された背景画像に関する情報に、前記顧客情報抽出工程によって抽出された前記顧客の画像情報および前記衣装情報抽出工程によって抽出された前記衣装の画像情報を合成する画像合成工程と、
前記生成手段が、前記顧客情報抽出工程によって抽出された前記顧客の身体サイズに関する情報および前記衣装情報抽出工程によって抽出された前記衣装に関する情報に基づいて、当該衣装の購入または貸出依頼情報を生成する生成工程と、
を実行させることを特徴とする衣装提供支援プログラム。
【発明の詳細な説明】
【技術分野】
【０００１】
この発明は、販売を目的とした商品を管理する衣装提供支援装置、衣装提供支援方法および衣装提供支援プログラムに関する。
【背景技術】
【０００２】
従来、たとえば試着前アバター用データを生成・送信する手段と、仮想空間内で位置を移動した後の移動後試着前アバター用データを生成・送信する手段と、商品に関する購入検討情報を受信するための購入検討情報受信手段と、購入検討情報で指定された商品をアバターが試着している試着アバター用データを生成・送信する手段と、試着アバターが試着したままの状態で、仮想店舗の外の他の場所へ移動した状態の店舗外移動後試着アバター用データを生成・送信する手段とを備え、或る仮想店舗の商品と他の仮想店舗の商品とをその色合いや形状などについてユーザーが直接に比較検討することができるようにした技術があった（たとえば、下記特許文献１を参照。）。
【０００３】
また、従来、たとえば所定の情報を格納する電子タグが添付された物品と、非接触タグから物品情報を読み取る読取手段と、環境情報を収集する収集手段と、読取装置から読み取られた物品情報と収集手段により収集された環境情報とを比較する比較手段と、比較手段の比較結果に従い、携帯する物品に対して不足分が生じる場合、ユーザーに対して注意を促す通知手段と、を具備し、服装や所持品などの物品に対して過不足が無いかを確認できるようにした技術があった（たとえば、下記特許文献２を参照。）。
【０００４】
また、従来、たとえばサービスセンタが、利用者が所有する服飾品について、服飾品の画像を含むアイテムデータをユーザー端末から取得してデータベースに登録するとともに、利用者の行動に関する行動データ、利用者の服装の好みに関するデータ等を取得してデータベースに登録し、ユーザー端末からの要求に応じて、データベースに登録されている各データと取得した気候データ等を参照し、利用者のスケジュール、気候、利用者の好み、流行等に基づいて、服飾アイテムを組み合わせて、その組み合わせ内容を示すコーディネート情報を作成して要求元のユーザー端末に供給するようにした技術があった（たとえば、下記特許文献３を参照。）。
【０００５】
また、従来、たとえばシステムの中枢となる制御手段が、玄関に設けられ、利用者の外出を検出する外出情報取得手段からの外出情報と、玄関に設けられ、利用者の身体情報を取得する身体情報取得手段からの身体情報と、外環境情報取得手段から外気温情報を含む屋外環境情報から当該利用者に服飾アイテム情報を報知装置により提示する機能を備え、外出しようとする利用者個人に対して、最適な服飾アイテムを提案することができるようにした技術があった（たとえば、下記特許文献４を参照。）。
【先行技術文献】
【特許文献】
【０００６】
【特許文献１】特開２００８−２４２７７５号公報
【特許文献２】特開２００５−１３４９９１号公報
【特許文献３】特開２００２−２１５７７０号公報
【特許文献４】特開２００６−３０１９７３号公報
【発明の概要】
【発明が解決しようとする課題】
【０００７】
たとえば海外旅行など、通常の活動拠点から遠く離れた地域を訪れる際に、十分な情報を収集することができず、現地での習慣や常識などに不案内である場合、着用した衣装では浮き上がって見えたり、現地の人を不愉快にさせてしまったりなどのトラブルが発生することが想定される。このような、現地での習慣や常識などに基づく衣装に関するトラブルは、旅行者自身が発生を想定できていないため、現地での習慣や常識などに基づいた衣装の選択はなされていないことが多い。
【０００８】
しかしながら、上述した特許文献１に記載された従来の技術では、アバターが着用する衣装は、顧客が選んだ衣装であるため、上記のような現地での習慣や常識などに基づく衣装に関するトラブルを回避することはできないという問題があった。
【０００９】
また、上述した特許文献２に記載された従来の技術では、所定の情報を格納する電子タグが添付された物品から物品情報を読み取ることにより、服装や所持品などの物品に対して過不足が無いかを確認しているため、海外旅行先においてこの技術を利用することは事実上困難であるという問題があった。
【００１０】
また、上述した特許文献３に記載された従来の技術では、顧客が既に所有している服飾品の中から組み合わせた服飾アイテムを示すコーディネート情報を提供しているため、海外旅行先における民族衣装などの特殊な衣装については対応することができず、上記のような現地での習慣や常識などに基づく衣装に関するトラブルを回避することはできないという問題があった。
【００１１】
また、上述した特許文献４に記載された従来の技術では、外出しようとする利用者個人に対して、玄関において最適な服飾アイテムを提案しているため、海外旅行先など、荷物の量に制限があり持参してきた衣装点数が少ない場合には、上記のような現地での習慣や常識などに基づく衣装に関するトラブルを回避することはできないという問題があった。
【００１２】
また、上述した特許文献１〜４に記載された技術を利用せず、顧客自身が持参する衣装について事前に調査した場合にも、海外旅行先において必要とされる衣装が現地の民族衣装などのような特殊な衣装であると、使い回しがきかない衣装をわざわざ購入したり、購入した衣装を持参するために荷物が増えてしまったりするなどの不具合が生じるという問題があった。
【００１３】
この発明は、上述した従来技術による問題点を解消するため、衣装の準備にかかる顧客の負担を抑えつつ、衣装を着用する地域（場所）や日時などの状況に適した衣装を顧客に提供することができる衣装提供支援装置、衣装提供支援方法および衣装提供支援プログラムを提供することを目的とする。
【課題を解決するための手段】
【００１４】
上述した課題を解決し、目的を達成するため、この発明にかかる衣装提供支援装置は、顧客に関する情報と、当該顧客の身体サイズに関する情報と、当該顧客の画像情報と、を関連付けして登録する顧客データベースと、地域に関する情報と、当該地域での日時に対応する衣装に関する情報と、当該衣装の画像情報と、を関連付けして登録する衣装データベースと、前記地域に関する情報と、当該地域での日時に対応する背景画像に関する情報とを関連付けして登録する背景データベースと、顧客に関する情報、地域情報および日時情報の入力を受け付ける入力手段と、前記入力手段によって入力された地域情報および日時情報に基づいて、前記背景データベースから前記地域の背景画像に関する情報を抽出する背景情報抽出手段と、前記入力手段によって入力された顧客に関する情報に基づいて、当該顧客の身体サイズに関する情報および当該顧客の画像情報を前記顧客データベースから抽出する顧客情報抽出手段と、前記入力手段によって入力された地域情報および日時情報に基づいて、衣装に関する情報および当該衣装の画像情報を前記衣装データベースから抽出する衣装情報抽出手段と、前記背景情報抽出手段によって抽出された背景画像に関する情報に、前記顧客情報抽出手段によって抽出された前記顧客の画像情報および前記衣装情報抽出手段によって抽出された前記衣装の画像情報を合成する画像合成手段と、前記顧客情報抽出手段によって抽出された前記顧客の身体サイズに関する情報および前記衣装情報抽出手段によって抽出された前記衣装に関する情報に基づいて、当該衣装の購入または貸出依頼情報を生成する生成手段と、を備えたことを特徴とする。
【００１５】
また、この発明にかかる衣装提供支援装置は、上記の発明において、前記生成された情報にかかる衣装に関する情報のうちの当該衣装を扱う店舗に関する情報に基づいて、前記生成手段によって生成された情報を、当該店舗の情報処理端末へ送信する生成情報送信手段を備えたことを特徴とする。
【００１６】
また、この発明にかかる衣装提供支援装置は、上記の発明において、前記画像合成手段によって合成された画像情報を、前記顧客の情報処理端末へ送信する画像情報送信手段を備えたことを特徴とする。
【００１７】
また、この発明にかかる衣装提供支援装置は、上記の発明において、前記画像情報送信手段が、前記画像情報とともに、当該衣装の価格に関する情報を送信することを特徴とする。
【００１８】
また、この発明にかかる衣装提供支援装置は、上記の発明において、前記顧客の情報処理端末からの購入または貸出指示を受信する受信手段を備え、前記生成手段が、前記受信手段によって受信された指示に基づいて、当該衣装の購入または貸出依頼情報を生成することを特徴とする。
【００１９】
また、この発明にかかる衣装提供支援装置は、上記の発明において、顧客データベースには、前記顧客の同伴者についても、顧客と同様の情報を登録してあり、前記入力手段が、顧客の同伴者に関する情報を入力し、前記画像合成手段が、前記同伴者も含めて合成し、前記生成手段が、前記同伴者の衣装の購入または貸出依頼情報を生成することを特徴とする。
【００２０】
また、この発明にかかる衣装提供支援方法は、顧客に関する情報と、当該顧客の身体サイズに関する情報と、当該顧客の画像情報と、を関連付けして登録する顧客データベースと、地域に関する情報と、当該地域での日時に対応する衣装に関する情報と、当該衣装の画像情報と、を関連付けして登録する衣装データベースと、前記地域に関する情報と、当該地域での日時に対応する背景画像に関する情報とを関連付けして登録する背景データベースと、入力手段と、背景情報抽出手段と、顧客情報抽出手段と、衣装情報抽出手段と、画像合成手段と、生成手段と、を備えた衣装提供支援装置に用いる衣装提供支援方法であって、前記入力手段が、顧客に関する情報、地域情報および日時情報の入力を受け付ける入力工程と、前記背景情報抽出手段が、前記入力工程によって入力された地域情報および日時情報に基づいて、前記背景データベースから前記地域の背景画像に関する情報を抽出する背景情報抽出工程と、前記顧客情報抽出手段が、前記入力工程によって入力された顧客に関する情報に基づいて、当該顧客の身体サイズに関する情報および当該顧客の画像情報を前記顧客データベースから抽出する顧客情報抽出工程と、前記衣装情報抽出手段が、前記入力工程によって入力された地域情報および日時情報に基づいて、衣装に関する情報および当該衣装の画像情報を前記衣装データベースから抽出する衣装情報抽出工程と、前記画像合成手段が、前記背景情報抽出工程によって抽出された背景画像に関する情報に、前記顧客情報抽出工程によって抽出された前記顧客の画像情報および前記衣装情報抽出工程によって抽出された前記衣装の画像情報を合成する画像合成工程と、前記生成手段が、前記顧客情報抽出工程によって抽出された前記顧客の身体サイズに関する情報および前記衣装情報抽出工程によって抽出された前記衣装に関する情報に基づいて、当該衣装の購入または貸出依頼情報を生成する生成工程と、を含んだことを特徴とする。
【００２１】
また、この発明にかかる衣装提供支援プログラムは、顧客に関する情報と、当該顧客の身体サイズに関する情報と、当該顧客の画像情報と、を関連付けして登録する顧客データベースと、地域に関する情報と、当該地域での日時に対応する衣装に関する情報と、当該衣装の画像情報と、を関連付けして登録する衣装データベースと、前記地域に関する情報と、当該地域での日時に対応する背景画像に関する情報とを関連付けして登録する背景データベースと、入力手段と、背景情報抽出手段と、顧客情報抽出手段と、衣装情報抽出手段と、画像合成手段と、生成手段と、を備えた衣装提供支援装置に用いる衣装提供支援プログラムであって、前記入力手段が、顧客に関する情報、地域情報および日時情報の入力を受け付ける入力工程と、前記背景情報抽出手段が、前記入力工程によって入力された地域情報および日時情報に基づいて、前記背景データベースから前記地域の背景画像に関する情報を抽出する背景情報抽出工程と、前記顧客情報抽出手段が、前記入力工程によって入力された顧客に関する情報に基づいて、当該顧客の身体サイズに関する情報および当該顧客の画像情報を前記顧客データベースから抽出する顧客情報抽出工程と、前記衣装情報抽出手段が、前記入力工程によって入力された地域情報および日時情報に基づいて、衣装に関する情報および当該衣装の画像情報を前記衣装データベースから抽出する衣装情報抽出工程と、前記画像合成手段が、前記背景情報抽出工程によって抽出された背景画像に関する情報に、前記顧客情報抽出工程によって抽出された前記顧客の画像情報および前記衣装情報抽出工程によって抽出された前記衣装の画像情報を合成する画像合成工程と、前記生成手段が、前記顧客情報抽出工程によって抽出された前記顧客の身体サイズに関する情報および前記衣装情報抽出工程によって抽出された前記衣装に関する情報に基づいて、当該衣装の購入または貸出依頼情報を生成する生成工程と、を実行させることを特徴とする。
【発明の効果】
【００２２】
この発明にかかる衣装提供支援装置、衣装提供支援方法および衣装提供支援プログラムによれば、衣装の準備にかかる顧客の負担を抑えつつ、衣装を着用する地域（場所）や日時などの状況に適した衣装を顧客に提供することができるという効果を奏する。
【図面の簡単な説明】
【００２３】
【図１】この発明にかかる実施の形態の衣装提供支援システムのシステム構成を示す説明図である。
【図２】コンピュータ装置のハードウエア構成を示すブロック図である。
【図３】顧客情報処理端末のハードウエア構成を示すブロック図である。
【図４】顧客データベースの一例を示す説明図である。
【図５】衣装データベースの一例を示す説明図である。
【図６】背景データベースの一例を示す説明図である。
【図７】衣装着用状態データベースの一例を示す説明図である。
【図８】店舗用衣装データベースの一例を示す説明図である。
【図９】この発明にかかる実施の形態の衣装提供支援装置の機能的構成を示すブロック図である。
【図１０】この発明にかかる実施の形態の衣装提供支援装置の処理手順を示すフローチャートである。
【図１１−１】この実施の形態にかかる衣装提供支援システムの表示画面例を示す説明図（その１）である。
【図１１−２】この実施の形態にかかる衣装提供支援システムの表示画面例を示す説明図（その２）である。
【図１１−３】この実施の形態にかかる衣装提供支援システムの表示画面例を示す説明図（その３）である。
【図１１−４】この実施の形態にかかる衣装提供支援システムの表示画面例を示す説明図（その４）である。
【図１１−５】この実施の形態にかかる衣装提供支援システムの表示画面例を示す説明図（その５）である。
【図１１−６】この実施の形態にかかる衣装提供支援システムの表示画面例を示す説明図（その６）である。
【図１１−７】この実施の形態にかかる衣装提供支援システムの表示画面例を示す説明図（その７）である。
【図１１−８】この実施の形態にかかる衣装提供支援システムの表示画面例を示す説明図（その８）である。
【図１１−９】この実施の形態にかかる衣装提供支援システムの表示画面例を示す説明図（その９）である。
【図１１−１０】この実施の形態にかかる衣装提供支援システムの表示画面例を示す説明図（その１０）である。
【図１２−１】合成画面の一例を示す説明図（その１）である。
【図１２−２】合成画面の一例を示す説明図（その２）である。
【図１２−３】合成画面の一例を示す説明図（その３）である。
【図１２−４】合成画面の一例を示す説明図（その４）である。
【図１３】決済情報入力画面の一例を示す説明図である。
【発明を実施するための形態】
【００２４】
以下に添付図面を参照して、この発明にかかる衣装提供支援装置、衣装提供支援方法および衣装提供支援プログラムの好適な実施の形態を詳細に説明する。
【００２５】
（衣装提供支援システムのシステム構成）
まず、この発明にかかる実施の形態の衣装提供支援システムのシステム構成について説明する。図１は、この発明にかかる実施の形態の衣装提供支援システムのシステム構成を示す説明図である。
【００２６】
図１において、この発明にかかる実施の形態の衣装提供支援システムは、衣装提供支援装置１０１と、店舗の情報処理端末（以下「店舗情報処理端末」という）１０２と、顧客の情報処理端末（以下「顧客情報処理端末」という）１０３と、カード会社サーバ１０４と、を含んで構成されている。衣装提供支援システムにおいて、衣装提供支援装置１０１、店舗情報処理端末１０２、顧客情報処理端末１０３およびカード会社サーバ１０４は、インターネットなどのネットワーク１０５に接続されている。
【００２７】
衣装提供支援装置１０１は、この実施の形態の衣装提供支援システムを提供する旅行コーディネート会社の店舗に設置されている。旅行コーディネート会社は、海外旅行や海外赴任などのように、顧客の現在の活動拠点から遠く離れた遠隔地における適切な衣装を提供する業務をおこなっている。
【００２８】
旅行コーディネート会社の店舗には、顧客に最適なサイズの衣装を提供するために、顧客の身体情報の採取（採寸）をおこなう専用の測定機器が設けられている。この専用の測定機器を用いて顧客の身体情報の採取をおこなうことにより身体情報の登録にかかる顧客および旅行コーディネート会社側の負担を軽減することができる。顧客の身体情報の採取（採寸）は、専用の測定機器を用いるものに限らず、店員あるいは顧客が手作業で測定し、衣装提供支援装置１０１に個々に入力するようにしてもよい。
【００２９】
衣装提供支援装置１０１は、パーソナルコンピュータなどのコンピュータ装置によって実現することができる（図２を参照）。衣装提供支援装置１０１は、顧客データベース（図４を参照）と、衣装データベース（図５を参照）と、背景データベース（図６を参照）と、衣装着用状態データベース（図７を参照）と、を備えている。顧客データベース、衣装データベース、背景データベースおよび衣装着用状態データベースについては説明を後述する。
【００３０】
店舗情報処理端末１０２は、ディスプレイやキーボードなどを備えたパーソナルコンピュータなどのコンピュータ装置によって実現することができる（図２を参照）。店舗情報処理端末１０２は、店舗用衣装データベース（図８を参照）を備えている。また、店舗情報処理端末１０２は、店舗基本情報データベースを備えている。店舗用衣装データベースおよび店舗基本情報データベースについては説明を後述する。
【００３１】
顧客情報処理端末１０３は、携帯型電話機などによって実現することができる（図３を参照）。顧客情報処理端末１０３は、携帯型電話機に代えてあるいは加えて、店舗情報処理端末１０２を実現するコンピュータ装置と同様のコンピュータ装置によって実現してもよい。
【００３２】
カード会社サーバ１０４は、たとえばクレジットカードなどのカードの発行元によって管理運用され、衣装提供支援システムの利用に際して支払いに使用されたカードの決済処理をおこなう。カード会社サーバ１０４は、たとえばカード会社が備えたパーソナルコンピュータなどのコンピュータ装置によって実現することができる（図２を参照）。カード会社サーバ１０４は、カードの発行やカードの決済処理にかかる、図示を省略する各種のデータベースを備えている。
【００３３】
（コンピュータ装置のハードウエア構成）
つぎに、衣装提供支援装置１０１、店舗情報処理端末１０２およびカード会社サーバ１０４を実現するコンピュータ装置のハードウエア構成について説明する。図２は、コンピュータ装置のハードウエア構成を示すブロック図である。
【００３４】
図２において、コンピュータ装置は、ＣＰＵ２０１と、ＲＯＭ２０２と、ＲＡＭ２０３と、ＨＤＤ（ハードディスクドライブ）２０４と、ＨＤ（ハードディスク）２０５と、ＦＤＤ（フロッピー（登録商標）ディスクドライブ）２０６と、着脱可能な記録媒体の一例としてのＦＤ（フロッピーディスク）２０７と、ディスプレイ２０８と、キーボード２０９と、マウス２１０と、スキャナ２１１と、ネットワークＩ／Ｆ（インターフェース）２１２と、を備えている。また、コンピュータ装置が備える各部２０１〜２１２は、バス２１３によってそれぞれ接続されている。
【００３５】
ＣＰＵ２０１は、コンピュータ装置全体の制御を司る。ＲＯＭ２０２は、ブートプログラムなどのプログラムを記憶している。ＲＡＭ２０３は、ＣＰＵ２０１のワークエリアとして使用される。ＨＤＤ２０４は、ＣＰＵ２０１の制御にしたがってＨＤ２０５に対するデータのリード／ライトを制御する。ＨＤ２０５は、ＨＤＤ２０４の制御で書き込まれたデータを記憶する。
【００３６】
ＦＤＤ２０６は、ＣＰＵ２０１の制御にしたがってＦＤ２０７に対するデータのリード／ライトを制御する。ＦＤ２０７は、ＦＤＤ２０６の制御で書き込まれたデータを記憶する。着脱可能な記録媒体として、ＦＤ２０７の他、ＣＤ−ＲＯＭ（ＣＤ−ＲＷ）、ＭＯ、ＤＶＤ（Ｄｉｇｉｔａｌ  Ｖｅｒｓａｔｉｌｅ  Ｄｉｓｋ）などであってもよい。
【００３７】
ディスプレイ２０８は、カーソル、アイコン、ツールボックスをはじめ、文書、画像、機能情報などのデータに関するウインドウ（ブラウザ）を表示する。また、ディスプレイ２０８は、利用明細の確認にかかる各種の表示画面（図１１−１〜図１１−１０、図１２−１〜図１２−４および図１３を参照）を表示する。具体的には、ディスプレイ２０８は、たとえばＣＲＴ、ＴＦＴ液晶ディスプレイ、プラズマディスプレイなどによって実現することができる。
【００３８】
キーボード２０９は、文字、数値、各種指示などの入力のためのキーを備え、データ入力をおこなう。マウス２１０は、カーソルの移動や範囲選択、あるいはウインドウの移動やサイズの変更などをおこなう。ポインティングデバイスとして同様の機能を備えるものであれば、マウス２１０に代えてあるいは加えてトラックボール、ジョイスティックなどであってもよい。
【００３９】
また、キーボード２０９に代えてあるいは加えて、ディスプレイ２０８の表示面側に積層したタッチパネルであってもよい。この場合、タッチパネルは、操作位置に応じた信号をＣＰＵ２０１に対して出力する。タッチパネルは、たとえば抵抗膜方式や静電容量方式、音響パルス認識方式、超音波表面弾性波方式、赤外遮光方式、画像認識方式など公知の各種の方式のものを用いることができる。
【００４０】
スキャナ２１１は、画像を光学的に読み取る。スキャナ２１１は、光学的に読み取った画像信号をＣＰＵ２０１に対して出力する。ネットワークＩ／Ｆ２１２は、通信回線を通じてネットワーク１０５に接続され、ネットワーク１０５を介して外部装置に接続される。ネットワークＩ／Ｆ２１２は、ネットワーク１０５と内部とのインターフェースを司り、コンピュータ装置と外部装置との間におけるデータの入出力を制御する。
【００４１】
（顧客情報処理端末１０３のハードウエア構成）
つぎに、顧客情報処理端末１０３のハードウエア構成について説明する。図３は、顧客情報処理端末１０３のハードウエア構成を示すブロック図である。図３において、顧客情報処理端末１０３は、ＣＰＵ３０１と、ＲＯＭ３０２と、ＲＡＭ３０３と、ディスプレイ３０４と、キーボード３０５と、通信Ｉ／Ｆ３０６と、カメラ３０７と、マイク３０８と、スピーカ３０９と、を備えている。また、各構成部３０１〜３０９は、バス３１０によってそれぞれ接続されている。
【００４２】
ＣＰＵ３０１は、顧客情報処理端末１０３全体の制御を司る。ＲＯＭ３０２は、ブートプログラムなどのプログラムを記憶している。ＲＡＭ３０３は、ＣＰＵ３０１のワークエリアとして使用される。ディスプレイ３０４は、設定中のモード（マナーモードやドライブモードなど）や電波の受信状態を示す各種のマーク、アイコンあるいはツールボックスなどを表示し、主にＴＦＴ液晶ディスプレイなどの液晶ディスプレイによって実現される。
【００４３】
キーボード３０５は、文字、数値、各種指示などの入力のためのキーを備え、データ入力をおこなう。通信Ｉ／Ｆ３０６は、通信回線を通じてネットワーク１０５に接続され、ネットワーク１０５と携帯型通信端末装置の内部とのインターフェースを司る。通信Ｉ／Ｆ３０６はネットワーク１０５を介して別の顧客情報処理端末１０３や、衣装提供支援装置１０１および店舗情報処理端末１０２との間におけるデータの入出力を制御する。
【００４４】
カメラ３０７はキーボード３０５の操作によって撮像対象を撮像し、画像データを生成する。生成された画像データはＲＡＭ３０３などに記憶される。マイク３０８は利用者の声をアナログ／デジタル変換した音声データを入力し、スピーカ３０９は通話相手側から送信された音声データをデジタル／アナログ変換した音声を出力する。
【００４５】
（顧客データベースの一例）
つぎに、衣装提供支援装置１０１が備えた顧客データベースについて説明する。図４は、顧客データベースの一例を示す説明図である。図４において、顧客データベース４００は、顧客に関する情報と、当該顧客の身体サイズに関する情報と、当該顧客の画像情報と、を関連付けして登録する。
【００４６】
顧客に関する情報（以下「顧客特定情報」という）は、たとえば顧客ＩＤ、顧客の氏名、顧客の性別、顧客の生年月日、顧客の住所、顧客の電話番号、顧客が所有する顧客情報処理端末１０３の電子メールアドレスなどを特定可能な情報を含んでいる。顧客の身体サイズに関する情報（以下「身体サイズ情報」という）は、顧客の身長、顧客の体重、顧客の足のサイズ、バストサイズ、ウエストサイズ、ヒップサイズ、顧客の着丈寸法、顧客の股下寸法、顧客の肩幅寸法、顧客の袖丈寸法などを特定可能な情報を含んでいる。
【００４７】
顧客の画像情報（以下「顧客画像情報」という）は、顧客の顔を正面、両側面、背面から撮影した画像、顧客の全身を正面、両側面、背面から撮影することによって得られた画像情報とされている。顧客データベース４００においては、顧客を撮影することによって得られた画像情報を直接記憶するものに限らず、該当する画像情報を特定する画像ＩＤを顧客画像情報として記憶していてもよい。
【００４８】
顧客データベース４００においては、顧客特定情報に対応づけて、顧客の同伴者に関する情報が記憶されている。顧客の同伴者に関する情報（以下「同伴者情報」という）は、同伴する顧客の顧客ＩＤによって示され、同伴者が存在する場合に同伴者情報欄に記憶される。すなわち、同伴者情報欄に顧客ＩＤが記憶されている場合、当該顧客特定情報に含まれる顧客ＩＤによって特定される顧客に同伴者が存在すると判断できる。
【００４９】
顧客データベース４００においては、特定の顧客を同伴者として指定することが可能とされている。同伴者の指定は、当該同伴者の顧客ＩＤと同伴期間とを含む同伴者情報を顧客特定情報に対応づけて記憶することによって実現することができる。同伴者は、同伴者情報に含まれる顧客ＩＤによって特定される顧客であって、顧客データベース４００においては、同伴者についても同伴者の存在しない顧客と同様の情報が記憶されている。
【００５０】
顧客データベース４００において、顧客特定情報に対応づけて当該顧客特定情報によって特定される顧客の顧客ＩＤとは別の顧客ＩＤが記憶されている場合、別の顧客ＩＤによって特定される顧客が同伴者であるものとされる。同伴者の有無あるいは同伴者に関する情報は、顧客データベース４００に記憶されているものに限らない。具体的には、たとえば、衣装提供支援装置１０１において、顧客データベース４００とは別に、同伴者に関する情報を記憶する同伴者データベースを設けてもよい。
【００５１】
（衣装データベースの一例）
つぎに、衣装提供支援装置１０１が備えた衣装データベースについて説明する。図５は、衣装データベースの一例を示す説明図である。図５において、衣装データベース５００は、地域に関する情報と、当該地域での日時に対応する衣装に関する情報と、当該衣装の画像情報と、を関連付けして登録している。
【００５２】
地域に関する情報（以下「地域情報」という）は、たとえばアメリカ合衆国、ヨーロッパ、アジアなどのように、地球上におけるおおまかな地域を特定可能な情報とすることができる。また、地域情報は、たとえばヨーロッパにおけるイギリス、フランス、ドイツ、ベルギー、あるいは、アジアにおけるインド、タイ、ベトナム、マレーシアなどのように、国を特定可能な情報であってもよい。
【００５３】
さらに、地域情報は、イリノイ州、ネバダ州、アリゾナ州、ルイジアナ州、カリフォルニア州などのように、アメリカ合衆国のように同じ国内であっても場所によって気候が大きく異なる国における一部の地域を特定可能な情報であってもよい。また、地域情報は、たとえばパリ、ニューヨーク、ブリュッセルなどのように、都市を特定可能な情報であってもよい。
【００５４】
また、地域情報は、熱帯、亜熱帯、温帯、亜寒帯、寒帯、砂漠気候、などのように、気候を特定可能な情報を含んでいてもよい。さらに、地域情報は、平均湿度、平均降水量、平均的な紫外線照射量、日の出時刻、日の入り時刻、などを特定可能な情報を含んでいてもよい。
【００５５】
地域情報によって特定される地域での日時に対応する衣装に関する情報（以下「日時別衣装情報」という）は、各地域において適した衣装を日時別に案内する情報とすることができる。具体的には、たとえば地域情報によって特定される地域がベルギー（ブリュッセル）である場合、日時別衣装情報は、７月上旬という日付は日本における初夏に相当する衣装が適しており、カットソーやポロシャツなどの衣装の着用を案内する情報とすることができる。
【００５６】
また、日時別衣装情報は、同じ地域の地域情報でかつ同じ日付を示す日付情報であっても時間帯を指定する時間帯情報によって異なる。具体的には、たとえば地域情報によって特定される地域が昼夜で気温が大きく変動する地域である場合、日時別衣装情報は、時間帯情報に応じて上着の着用あるいは携帯を案内する情報を含む。
【００５７】
日時別衣装情報は、各地域において適した衣装を案内する情報に限らず、当該情報に代えてあるいは加えて、各地域における気候を日時別に案内する情報であってもよい。気候は、たとえば春夏秋冬によって示してもよいし、気温（平均気温、最高気温、最低気温など）によって示してもよい。また、気候は、たとえば平均湿度や、降雪あるいは降雨（スコールなど）の傾向、強風や落雷の有無、などによって示してもよい。
【００５８】
衣装データベース５００においては、地域情報と日付情報とによってなされるマトリックスが、時間帯情報ごとに複数設けられており、各マトリックスにおける要素に日時別衣装情報が対応づけられている。日時別衣装情報は、提供可能なサイズ、提供可能な数量、色のバリエーション、価格などを特定可能な情報を含んでいる。また、日時別衣装情報は、たとえば購入の可否、貸出の可否、店舗情報（店舗の住所や地図など）、購入あるいは貸出可能な日付、などを特定可能な情報を含んでいてもよい。
【００５９】
また、衣装データベース５００においては、各マトリックスにおける要素に、衣装の画像情報がそれぞれ対応づけられている。衣装の画像情報は、各マトリックスにおける要素に対して１つあるいは複数対応づけられている。衣装の画像情報は、日時別衣装情報によって示される衣装を画像で示す。
【００６０】
衣装データベース５００においては、衣装の画像情報を直接記憶するものに限らず、該当する衣装の画像を示す衣装ＩＤが記憶されていてもよい。衣装ＩＤは、衣装提供支援システムにおいて提供可能な衣装のそれぞれに固有の情報であって、各衣装ＩＤには当該衣装ＩＤによって特定される日時別衣装情報が対応づけられている。
【００６１】
衣装提供支援装置１０１は、男性用と女性用とでそれぞれ異なる衣装データベース５００を備えている。また、衣装提供支援装置１０１は、年齢別（幼児、小児、成人、熟年層など）に複数種類の衣装データベース５００を備えている。衣装提供支援装置１０１は、地域と時間帯とによってなされるマトリックスが、日付（あるいは季節）ごとに複数設けられて構成される衣装データベース５００を備えていてもよい。
【００６２】
（背景データベースの一例）
つぎに、衣装提供支援装置１０１が備えた背景データベースについて説明する。図６は、背景データベースの一例を示す説明図である。図６において、背景データベース６００は、地域情報と、当該地域での日時に対応する背景画像に関する情報とを関連付けして登録している。背景画像に関する情報（以下「背景画像情報」という）は、背景となる画像を示す画像情報とすることができる。
【００６３】
背景データベース６００においては、衣装データベース５００と同様に、地域と日付とによってなされるマトリックスが、時間帯ごとに複数設けられており、各マトリックスにおける要素に背景となる画像を示す画像情報が対応づけられている。背景データベース６００においては、背景となる画像を示す画像情報を直接記憶するものに限らず、当該画像情報を特定可能な背景画像ＩＤが背景画像情報として記憶されていてもよい。
【００６４】
背景となる画像は、たとえば地域情報によって特定される地域における代表的な地点（観光地、名所、名勝など）の画像とされている。背景データベース６００においては、背景データベース６００がなすマトリックスにおける１つの要素ごとに、複数の背景画像あるいは背景画像ＩＤが対応づけられていてもよい。
【００６５】
また、背景となる画像は、たとえば地域情報によって特定される地域において、所定の期間におこなわれるイベントの画像であってもよい。背景データベース６００において、各背景画像情報には、当該背景画像情報によって示される背景となる期間の目安となる期間情報が対応づけられていてもよい。また、背景データベース６００において、各背景画像情報には、特定の日時（毎年４月１日、１２月の第１週目の土曜日、など）を示す情報が対応づけられていてもよい。
【００６６】
（衣装着用状態データベースの一例）
つぎに、衣装提供支援装置１０１が備えた衣装着用状態データベースについて説明する。図７は、衣装着用状態データベースの一例を示す説明図である。図７において、衣装着用状態データベース７００は、顧客ＩＤと、地域情報と、日時別衣装情報と、衣装の画像情報と、当該衣装を着用した状態の顧客の画像情報と、を対応づけて記憶している。
【００６７】
衣装着用状態データベース７００における地域情報および日時別衣装情報は、衣装提供支援装置１０１に対する顧客の所定の操作によって入力される。衣装の画像情報は、衣装データベース５００における各マトリックスにおける要素に対応づけられた１つあるいは複数の衣装の画像情報の中から、衣装提供支援装置１０１に対する顧客の所定の操作によって指定される。
【００６８】
衣装を着用した状態の顧客の画像情報（以下「着用画像情報」という）は、顧客によって指定された衣装の画像情報と当該顧客の画像情報とを合成することによって生成された画像情報であって、顧客によって指定された衣装を当該顧客が着用したイメージを示す。
【００６９】
衣装着用状態データベース７００における着用画像情報は、たとえば「顧客１人あたり３点まで」のように、１つの顧客ＩＤに対応づけられる数があらかじめ定められている。これにより、１人の顧客の着用画像情報が大量に生成されることが規制されている。衣装着用状態データベース７００における着用画像情報の、顧客１人あたりの点数は制限を設けなくてもよい。
【００７０】
衣装着用状態データベース７００に記憶された着用画像情報および当該着用画像情報に対応づけられた各種の情報は、たとえば衣装提供支援装置１０１に対して、指定された衣装の購入あるいは貸出を依頼する所定の操作がおこなわれた場合に消去される。あるいは衣装着用状態データベース７００に記憶された情報は、たとえば日時別衣装情報によって特定される日時を過ぎた場合に消去されるようにしてもよい。また、衣装着用状態データベース７００に記憶された情報は、たとえば衣装提供支援装置１０１に対して、指定された衣装の購入あるいは貸出を依頼する操作があるまで記憶しておくようにしてもよい。
【００７１】
（店舗用衣装データベースの一例）
つぎに、店舗情報処理端末１０２が備えた店舗用衣装データベースについて説明する。図８は、店舗用衣装データベースの一例を示す説明図である。図８において、店舗用衣装データベース８００は、店舗ごとに提供可能な衣装に関する情報を記憶している。
【００７２】
店舗用衣装データベース８００において、衣装に関する情報は、衣装を特定可能な衣装ＩＤごとに対応づけられて記憶されている。衣装に関する情報は、提供可能なサイズ、色のバリエーション、価格などを特定可能な情報を含んでいる。店舗用衣装データベース８００における衣装に関する情報は、該当する衣装の画像情報を含んでいてもよい。また、店舗用衣装データベース８００においては、衣装データベース５００には記憶されていない衣装に関する情報が記憶されていてもよい。
【００７３】
つぎに、店舗情報処理端末１０２が備えた店舗基本情報データベースについて説明する。店舗基本情報データベースは、店舗ごとに設けられ、当該店舗に関する基本情報を記憶している。店舗に関する基本情報は、たとえば店舗名、地域（所在地）、定休日、TELなどを示すとすることができる。店舗基本情報データベースについては、図示を省略する。
【００７４】
また、店舗に関する基本情報は、たとえば営業時間を示す情報であってもよい。曜日ごとに営業時間が異なる店舗の場合は、曜日ごとに営業時間を記憶していてもよい。年末年始など特定の期間における営業時間が延長あるいは短縮になる場合は、営業時間が延長あるいは短縮になる期間や該当する期間における営業時間を記憶していてもよい。
【００７５】
店舗基本情報データベースに記憶された情報は、顧客情報処理端末１０３において所定の表示画面（図１２−１、図１２−２、図１２−３および図１２−４を参照）の表示中に照会のための所定の操作がおこなわれた場合に、当該所定の操作がなされた顧客情報処理端末１０３あるいは衣装提供支援装置１０１において表示し、参照させることができる。
【００７６】
この実施の形態においては、店舗情報処理端末１０２が店舗基本情報データベースを備える場合について説明したが、店舗基本情報データベースは店舗情報処理端末１０２が備えるものに限らない。店舗基本情報データベースは、店舗情報処理端末１０２に代えて、カード会社サーバ１０４が備えていてもよい。
【００７７】
（衣装提供支援装置１０１の機能的構成）
つぎに、この発明にかかる実施の形態の衣装提供支援装置１０１の機能的構成について説明する。図９は、この発明にかかる実施の形態の衣装提供支援装置１０１の機能的構成を示すブロック図である。
【００７８】
図９において、この発明にかかる実施の形態の衣装提供支援装置１０１は、入力部９０１と、背景情報抽出部９０２と、顧客情報抽出部９０３と、衣装情報抽出部９０４と、画像合成部９０５と、生成部９０６と、生成情報送信部９０７と、画像情報送信部９０８と、受信部９０９と、顧客データベース４００と、衣装データベース５００と、背景データベース６００と、を備えている。
【００７９】
入力部９０１は、顧客特定情報、地域情報および日時情報などの各種の情報の入力を受け付ける。日時情報は、日付を特定する日付情報と、時間帯を特定する時間帯情報とを含んでいる。また、入力部９０１は、同伴者情報の入力を受け付ける。顧客特定情報、地域情報、日時情報（日付情報および時間帯情報）および同伴者情報は、所定の表示画面（図１１−８を参照）の表示内容にしたがって、キーボード２０９やマウス２１０を操作することによって入力することができる。この実施の形態においては、具体的には、たとえばキーボード２０９やマウス２１０によって入力部９０１としての機能を実現することができる。
【００８０】
顧客特定情報、地域情報、日時情報（日付情報および時間帯情報）および同伴者情報などの各種の情報の入力を受け付ける所定の表示画面は、衣装提供支援装置１０１に代えてあるいは加えて、顧客情報処理端末１０３に表示するようにしてもよい。この場合、顧客情報処理端末１０３において入力を受け付けた各種の情報は、顧客情報処理端末１０３の通信Ｉ／Ｆ３０６を介して衣装提供支援装置１０１に送信され、衣装提供支援装置１０１のネットワークＩ／Ｆ２１２によって受信される。この場合、具体的には、たとえばネットワークＩ／Ｆ２１２によって入力部９０１としての機能を実現することができる。
【００８１】
背景情報抽出部９０２は、入力部９０１によって入力された地域情報および日時情報に基づいて、背景データベース６００から地域の背景画像情報を抽出する。背景情報抽出部９０２は、背景データベース６００において、入力部９０１によって入力された地域情報に対応づけられた背景画像情報の中から、入力部９０１によって入力された日時情報に対応づけられた日時に対応づけられた背景画像情報を抽出する。
【００８２】
この実施の形態においては、具体的には、たとえば衣装提供支援装置１０１を実現するコンピュータ装置のＲＡＭ２０３をワークエリアとしながら、ＲＯＭ２０２に記憶されたプログラムをＣＰＵ２０１によって実行することによって、背景情報抽出部９０２としての機能を実現することができる。
【００８３】
顧客情報抽出部９０３は、入力部９０１によって入力された顧客特定情報に基づいて、当該顧客の身体サイズ情報および当該顧客の画像情報あるいは画像ＩＤなどの顧客情報を顧客データベース４００から抽出する。顧客情報抽出部９０３は、たとえば入力部９０１によって顧客ＩＤが入力された場合に、入力された顧客ＩＤに対応づけられた顧客情報を顧客データベース４００から抽出する。
【００８４】
この実施の形態においては、具体的には、たとえば衣装提供支援装置１０１を実現するコンピュータ装置のＲＡＭ２０３をワークエリアとしながら、ＲＯＭ２０２に記憶されたプログラムをＣＰＵ２０１によって実行することによって、顧客情報抽出部９０３としての機能を実現することができる。
【００８５】
衣装情報抽出部９０４は、入力部９０１によって入力された地域情報および日時情報に基づいて、日時別衣装情報および衣装の画像情報（あるいは衣装ＩＤ）などの衣装情報を、衣装データベース５００から抽出する。衣装情報抽出部９０４は、衣装データベース５００において、入力部９０１によって入力された地域情報および日付情報に対応づけられた日時別衣装情報の中から、入力部９０１によって入力された日時情報における時間帯情報に対応づけられた日時別衣装情報を抽出する。
【００８６】
また、衣装情報抽出部９０４は、衣装データベース５００において、入力部９０１によって入力された地域情報および日付情報に対応づけられた衣装の画像情報あるいは衣装ＩＤの中から、入力部９０１によって入力された日時情報における時間帯情報に対応づけられた衣装の画像情報あるいは衣装ＩＤを抽出する。
【００８７】
この実施の形態においては、具体的には、たとえば衣装提供支援装置１０１を実現するコンピュータ装置のＲＡＭ２０３をワークエリアとしながら、ＲＯＭ２０２に記憶されたプログラムをＣＰＵ２０１によって実行することによって、衣装情報抽出部９０４としての機能を実現することができる。
【００８８】
画像合成部９０５は、背景情報抽出部９０２によって抽出された背景を示す画像情報（あるいは背景画像ＩＤによって特定される画像情報）に、顧客情報抽出部９０３によって抽出された顧客情報、および、衣装情報抽出部９０４によって抽出された衣装の画像情報（あるいは衣装ＩＤによって特定される画像情報）を合成する。画像合成部９０５は、抽出された顧客の画像に抽出された衣装を重ねた画像を、抽出された背景に重ねることによって、衣装を着用した顧客が指定された背景がなす地域に存在しているような画像を合成する。
【００８９】
また、画像合成部９０５は、衣装着用状態データベース７００に記憶されている着用画像情報の中から、該当する顧客の該当する地域の着用画像情報を抽出し、抽出した着用画像情報を背景情報抽出部９０２によって抽出された背景に重ねることによって、衣装を着用した顧客が指定された地域に存在しているような画像を合成してもよい。
【００９０】
画像合成部９０５は、入力部９０１によって同伴者情報の入力を受け付けた場合、同伴者も含めて合成する。すなわち、画像合成部９０５は、入力部９０１によって同伴者情報の入力を受け付けた場合は、抽出された顧客および同伴者の画像に、抽出された衣装をそれぞれ重ねた画像を、抽出された同じ背景に並べた状態で重ねることによって、衣装を着用した顧客および同伴者が指定された地域に存在しているような画像を合成する。
【００９１】
また、画像合成部９０５は、衣装着用状態データベース７００に記憶されている着用画像情報の中から、該当する顧客および同伴者の該当する地域の着用画像情報を抽出し、抽出した複数名分の着用画像情報を背景情報抽出部９０２によって抽出された背景に重ねることによって、衣装を着用した顧客および同伴者が指定された地域に存在しているような画像を合成してもよい。
【００９２】
生成部９０６は、顧客情報抽出部９０３によって抽出された顧客の身体サイズに関する情報および衣装情報抽出部９０４によって抽出された衣装に関する情報に基づいて、当該衣装の購入または貸出依頼情報（以下「衣装の依頼情報」という）を生成する。生成部９０６は、たとえばキーボード２０９に対して、衣装の依頼情報の作成を指示する所定の操作がおこなわれた場合に、該当する衣装の依頼情報を生成する。
【００９３】
衣装の依頼情報は、購入または貸出を依頼する顧客の顧客ＩＤ、購入または貸出を依頼する衣装を特定する衣装ＩＤ、当該衣装のサイズ、当該衣装の色などを示す情報を含んでいる。衣装ＩＤ、サイズ、色などは衣装の依頼情報の作成を指示する所定の操作がおこなわれた場合に衣装データベース５００から取得される。また、衣装の依頼情報は、依頼された衣装を扱う店舗に関する情報を含んでいる。依頼された衣装を扱う店舗に関する情報は、たとえば店舗ＩＤ、店舗の名称および所在地、あるいは、電子メールアドレスなどとすることができる。
【００９４】
また、衣装の依頼情報は、該当する衣装の着用予定日を指定する情報を含んでいる。さらに、衣装の依頼情報は、購入する場合には購入する日付（日時）を指定する情報、貸出を受ける場合には貸出希望日付（日時）および返却予定日付（日時）を指定する情報を含んでいてもよい。購入する日付（日時）や、着用開始日付（日時）および返却日付（日時）は、キーボード２０９やマウス２１０の操作によって入力することができる。
【００９５】
入力部９０１によって顧客の同伴者に関する情報が入力され、画像合成部９０５において同伴者も含めた画像が合成された状態で、衣装の依頼情報の作成を指示する所定の操作がおこなわれた場合、生成部９０６は、同伴者の衣装の依頼情報を生成してもよい。この場合、顧客の衣装の依頼情報と同伴者の衣装の依頼情報とを含む１つの依頼情報を生成してもよいし、顧客の衣装の依頼情報のみ、同伴者の衣装の依頼情報のみ、のように、顧客の衣装の依頼情報と同伴者の衣装の依頼情報とを分けた、衣装の依頼情報を生成してもよい。
【００９６】
この実施の形態においては、具体的には、たとえば衣装提供支援装置１０１を実現するコンピュータ装置のＲＡＭ２０３をワークエリアとしながら、ＲＯＭ２０２に記憶されたプログラムをＣＰＵ２０１によって実行することによって、生成部９０６としての機能を実現することができる。
【００９７】
生成情報送信部９０７は、生成部９０６によって生成された衣装の依頼情報のうちの当該衣装を扱う店舗の店舗に関する情報に基づいて、生成部９０６によって生成された衣装の依頼情報を、当該店舗情報処理端末１０２へ送信する。生成情報送信部９０７は、たとえば衣装の依頼情報を店舗の電子メールアドレス宛に送信する。
【００９８】
画像情報送信部９０８は、画像合成部９０５によって合成された画像情報を、顧客情報処理端末１０３へ送信する。画像情報送信部９０８は、たとえば画像合成部９０５によって合成された画像情報を、顧客特定情報に含まれる電子メールアドレス宛てに送信する。また、画像情報送信部９０８は、画像合成部９０５によって合成された画像情報とともに、当該画像情報に含まれる衣装の価格に関する情報を送信する。
【００９９】
受信部９０９は、顧客情報処理端末１０３から、衣装の購入または貸出指示を受信する。衣装の購入または貸出指示は、顧客情報処理端末１０３に対して、顧客が所定の操作をおこなった場合に顧客情報処理端末１０３において生成され、顧客情報処理端末１０３から衣装提供支援装置１０１に送信される。上記の生成部９０６は、受信部９０９によって受信された指示に基づいて、当該衣装の購入または貸出依頼情報を生成する。
【０１００】
この実施の形態においては、具体的には、たとえば衣装提供支援装置１０１を実現するコンピュータ装置のネットワークＩ／Ｆ２１２によって、生成情報送信部９０７、画像情報送信部９０８および受信部９０９としての機能を実現することができる。
【０１０１】
（衣装提供支援装置１０１の処理手順）
つぎに、この発明にかかる実施の形態の衣装提供支援装置１０１の処理手順について説明する。図１０は、この発明にかかる実施の形態の衣装提供支援装置１０１の処理手順を示すフローチャートである。
【０１０２】
図１０のフローチャートにおいて、まず、顧客特定情報の入力を受け付けるまで待機する（ステップＳ１００１：Ｎｏ）。顧客特定情報の入力を受け付けた場合（ステップＳ１００１：Ｙｅｓ）は、入力を受け付けた顧客特定情報を、衣装着用状態データベース７００に登録する（ステップＳ１００２）。ステップＳ１００１における顧客特定情報の入力は、所定の表示画面（図１１−１を参照）の表示中に所定の入力操作がおこなわれることによって実現することができる。
【０１０３】
衣装提供支援システムにおいては、顧客ＩＤのみの登録を事前におこなっていてもよい。この場合、ステップＳ１００１においては顧客ＩＤのみの入力を待機し、ステップＳ１００２においては入力された顧客ＩＤに対応する顧客特定情報を顧客データベース４００から抽出し、衣装着用状態データベース７００に登録する。
【０１０４】
つぎに、地域情報の入力を受け付けるまで待機し（ステップＳ１００３：Ｎｏ）、地域情報の入力を受け付けた場合（ステップＳ１００３：Ｙｅｓ）は、入力を受け付けた地域情報を、ステップＳ１００２において登録した顧客特定情報に対応づけて、衣装着用状態データベース７００に登録する（ステップＳ１００４）。
【０１０５】
つぎに、日時情報の入力を受け付けるまで待機し（ステップＳ１００５：Ｎｏ）、日時情報の入力を受け付けた場合（ステップＳ１００５：Ｙｅｓ）は、入力を受け付けた日時情報を、ステップＳ１００２において登録した顧客特定情報に対応づけて、衣装着用状態データベース７００に登録する（ステップＳ１００６）。
【０１０６】
ステップＳ１００３およびステップＳ１００４の処理と、ステップＳ１００５およびステップＳ１００６の処理と、は実行する順序が逆であってもよい。すなわち、日時情報の入力を受け付け、受け付けた日時情報を衣装着用状態データベース７００に登録した後に、地域情報の入力を受け付け、受け付けた地域情報を衣装着用状態データベース７００に登録するようにしてもよい。
【０１０７】
そして、ステップＳ１００３：Ｙｅｓにおいて入力を受け付けた地域情報と、ステップＳ１００５：Ｙｅｓにおいて入力を受け付けた日時情報と、に基づいて、背景データベース６００から地域の背景画像情報を抽出する（ステップＳ１００７）。また、ステップＳ１００１：Ｙｅｓにおいて入力を受け付けた顧客特定情報に基づいて、顧客データベース４００から該当する顧客情報を抽出する（ステップＳ１００８）。さらに、ステップＳ１００３：Ｙｅｓにおいて入力を受け付けた地域情報と、ステップＳ１００５：Ｙｅｓにおいて入力を受け付けた日時情報と、に基づいて、衣装データベース５００から該当する衣装情報を抽出する（ステップＳ１００９）。
【０１０８】
ステップＳ１００７の処理と、ステップＳ１００８の処理と、ステップＳ１００９の処理と、は実行する順序が逆であってもよい。たとえば衣装情報を抽出してから顧客情報を抽出し、その後、背景画像情報を抽出するようにしてもよい。また、たとえば顧客情報を抽出してから背景画像情報を抽出し、その後、衣装情報を抽出するようにしてもよい。あるいは、たとえば顧客情報を抽出してから衣装情報を抽出し、その後、背景画像情報を抽出するようにしてもよい。
【０１０９】
つぎに、同伴者情報の入力を受け付けたか否かを判断し（ステップＳ１０１０）、同伴者情報の入力を受け付けていない場合（ステップＳ１０１０：Ｎｏ）は、ステップＳ１０１２へ進む。同伴者の入力は、ステップＳ１０１０において同伴者の入力の有無を判断するまでの任意のタイミングで受け付けられていればよい。
【０１１０】
ステップＳ１０１０において、同伴者情報の入力を受け付けた場合（ステップＳ１０１０：Ｙｅｓ）は、衣装着用状態データベース７００に記憶された着用画像情報の中から、同伴者の顧客ＩＤに対応づけられた着用画像情報を抽出する（ステップＳ１０１１）。
【０１１１】
その後、ステップＳ１００７において抽出された背景画像情報と、ステップＳ１００８において抽出された顧客情報と、ステップＳ１００９において抽出された衣装情報と、に基づいて画像を合成する（ステップＳ１０１２）。ステップＳ１０１２においては、ステップＳ１００３：Ｙｅｓにおいて入力を受け付けた地域情報によって特定される地域に、ステップＳ１００９において抽出された衣装情報によって示される衣装を着用した状態の顧客が存在する画像を合成する。
【０１１２】
ステップＳ１０１３においては、ステップＳ１００１において入力された顧客特定情報によって特定される顧客の顧客情報処理端末１０３に対して、ステップＳ１０１２において合成した画像の画像情報を送信する（ステップＳ１０１３）。これにより、顧客に対して、当該顧客の顧客情報処理端末１０３のディスプレイ３０４において、自身が指定した地域および日時に適した衣装を着用したイメージ画像を確認させることができる。
【０１１３】
顧客は、顧客情報処理端末１０３のディスプレイ３０４に表示されたイメージ画像を見て、当該衣装の購入あるいは貸出を指示する場合は、ディスプレイ３０４の表示内容にしたがって所定のキー操作をおこなう。これにより、顧客情報処理端末１０３から衣装提供支援装置１０１に対して衣装の購入あるいは貸出依頼指示が送信される。
【０１１４】
ステップＳ１０１４においては、顧客情報処理端末１０３から送信された衣装の購入あるいは貸出依頼指示を受信したか否かに基づいて、衣装を依頼するかどうかを判断する（ステップＳ１０１４）。ステップＳ１０１４においては、顧客情報処理端末１０３から送信された衣装の購入あるいは貸出依頼指示を受信した場合に、衣装を依頼すると判断して（ステップＳ１０１４：Ｙｅｓ）、該当する衣装の依頼情報を生成する（ステップＳ１０１５）。
【０１１５】
そして、ステップＳ１０１５において生成した衣装の依頼情報に基づいて、該当する店舗情報処理端末１０２に対して、生成した衣装の依頼情報を送信して（ステップＳ１０１６）、一連の処理を終了する。ステップＳ１０１４において、顧客情報処理端末１０３から送信された衣装の購入あるいは貸出依頼指示を受信していない場合に、衣装を依頼しないと判断して（ステップＳ１０１４：Ｎｏ）、一連の処理を終了する。
【０１１６】
（衣装提供支援システムの表示画面例）
つぎに、この実施の形態にかかる衣装提供支援システムの表示画面例について説明する。図１１−１、図１１−２、図１１−３、図１１−４、図１１−５、図１１−６、図１１−７、図１１−８、図１１−９および図１１−１０は、この実施の形態にかかる衣装提供支援システムの表示画面例を示す説明図である。図１１−１において、表示画面１１１０は、衣装提供支援装置１０１において、顧客の身体情報の登録をおこなう際に表示される、個人基本情報登録画面を示している。
【０１１７】
表示画面１１１０においては、身長、体重、性別、バスト、ウエスト、ヒップ、年齢などの必須登録項目を入力するための入力ボックス群１１１１が表示されている。入力ボックス群１１１１には、股下寸法、肩幅寸法、靴のサイズ、帽子（頭囲）、指輪のサイズなどの任意登録項目を入力する入力ボックス群が含まれている。
【０１１８】
顧客の身体情報の登録に際しては、顧客の顔写真を登録することが可能とされている。表示画面１１１０においては、顧客の顔写真として、デジタルスチルカメラを用いて別途撮影した顧客の顔写真の画像情報を対応づけることができる。
【０１１９】
また、表示画面１１１０においては、入力ボックス群に入力した各種の登録項目にしたがった体型を示すアバター画像１１１２が表示される。アバター画像１１１２の顔部分は、性別ごとに設定されたデフォルト画像が表示されるが、顧客の身体情報の登録に際して顧客の顔写真を登録した場合、デフォルト画像に代えて登録した顔写真を表示させることができる。
【０１２０】
表示画面１１１０においては、登録された顧客の身体情報の登録あるいは変更を指示する「登録／変更」キー１１１３が表示されている。衣装提供支援装置１０１は、顧客の身体情報の登録中に「登録／変更」キー１１１３が操作された場合、操作された時点において入力されている項目の内容が顧客データベース４００に登録する。また、衣装提供支援装置１０１は、顧客の身体情報の登録後に「登録／変更」キー１１１３が操作された場合、顧客データベース４００に登録されている項目の内容を含む表示画面１１１０を表示する。
【０１２１】
図１１−２において、表示画面１１２０は、店舗情報処理端末１０２において、店舗の基本情報を登録する際に表示される、店舗基本情報登録画面を示している。表示画面１１２０においては、店舗名、当該店舗の所在地、定休日（あるいは営業日）、連絡先（電話番号、電子メールアドレスなど）、および、連絡窓口となる責任者の氏名などを入力する入力ボックス群１１２１が表示されている。
【０１２２】
表示画面１１２０において、「登録」キー１１２２は、衣装提供支援システムで利用可能な衣装を登録する際に操作される。また、表示画面１１２０において、「戻る」キー１１２３は、衣装情報を登録する衣装情報登録画面を表示させる際に操作される。
【０１２３】
図１１−３において、表示画面１１３０は、店舗情報処理端末１０２において、衣装提供支援システムで利用可能な衣装を登録する際に表示される、衣装情報登録画面を示している。表示画面１１３０においては、商品を登録する前の状態が示されており、登録を予定する衣装の画像１１３１が映し出されている。
【０１２４】
登録を予定する衣装の画像１１３１は、当該画像をドラッグすることによって回転させ、多方向から視認させることが可能とされている。表示画面１１３０中に表示された衣装の画像１１３１を回転させる技術については、公知の各種の技術を用いて容易に実現可能であるため、説明を省略する。
【０１２５】
表示画面１１３０においては、画面中に画像が映し出された衣装の商品名、サイズおよび各サイズの在庫数、利用料金などを入力する入力ボックス群１１３２が表示されている。サイズは、たとえばＬサイズ、Ｍサイズ、Ｓサイズなどのサイズごとに、詳細な寸法を入力することが可能とされている。詳細な寸法の入力に際しては、Ｌ、Ｍ、Ｓなどの衣装のサイズを示す表記部分をクリックするなどして選択することによって、当該詳細な寸法を入力するためのポップアップ画面を表示させる。
【０１２６】
利用料金は、貸出を受けた場合のレンタル代金、および、購入した場合の購入金額を入力することができる。店舗が、海外など通貨単位の異なる地域にある場合は、利用料金の単位を円に換算した数値が入力される。また、この場合、入力された利用料金は、為替レートの変動を想定して目安とされる。
【０１２７】
表示画面１１３０において、「登録」キー１１３４は、表示画面１１３０に映し出された衣装を、表示画面１１３０において入力された内容で登録することが決定した場合に操作される。表示画面１１３０において、「登録」キー１１３４が操作された場合、店舗情報処理端末１０２は、表示画面１１４０を表示する。
【０１２８】
図１１−４において、表示画面１１４０は、店舗情報処理端末１０２において、衣装提供支援システムで利用可能な衣装を登録する際に表示され、表示画面１１３０において所定事項が入力された状態の衣装情報登録画面を示している。「登録」キー１１３４は、表示画面１１４０の内容での登録が決定した場合に操作される。
【０１２９】
図１１−５において、表示画面１１５０は、表示画面１１４０において「登録」キー１１３４が操作された場合に表示される。表示画面１１５０においては、登録を確認する衣装の画像１１５１と、登録の可否を最終確認する「この衣装を登録しますか」というメッセージ１１５２と、店舗側の意思を表示する「はい」キー１１５３と「いいえ」キー１１５４とが示されている。「はい」キー１１５３が操作された場合、衣装の画像１１５１によって示される衣装情報が、店舗用衣装データベース８００に登録される。
【０１３０】
図１１−６において、表示画面１１６０は、衣装提供支援装置１０１において、観光データの登録に際して表示される、観光データ登録画面を示している。この観光データ登録画面は、衣装提供支援装置１０１の他、衣装提供支援装置１０１に通信可能に接続された他のコンピュータ装置において表示することが可能とされている。他のコンピュータ装置は、たとえば海外の旅行会社や観光を奨励する自治体など、観光地として背景画像の登録を希望する企業や団体のコンピュータ装置とすることができる。
【０１３１】
表示画面１１６０においては、登録する背景画像と同じ景観が存在する地域（国やエリア）を入力するための入力ボックス１１６１が表示されている。この入力ボックス１１６１に対しては、キーボード２０９の操作によって直接情報を入力することができる。
【０１３２】
また、この入力ボックス１１６１に対しては、表示画面１１６０に表示されている地球の画像１１６２をマウス２１０などの操作によって表示画面１１６０内で回転させ、目的とする国あるいはエリアをクリックすることによって行き先となる地域（国やエリア）を入力することができる。
【０１３３】
表示画面１１６０中の地球の画像における各ポイントには、それぞれ衣装データベース５００における地域情報が対応づけられており、これにより、地球の画像における任意のポイントが指定された場合に、指定されたポイントに該当する地域情報を登録することができるように構成されている。
【０１３４】
また、表示画面１１６０においては、イベント名を入力する入力ボックスや、この入力ボックスに入力されたイベントの開催シーズンなどを入力する追加情報入力用の入力ボックスなどの入力ボックス群１１６３が表示されている。表示画面１１６０においては、「追加」キー１１６３ａが操作された場合に、追加情報入力用の入力ボックスに対する情報の入力が可能となる。
【０１３５】
表示画面１１６０には、風景画像（背景画像）を入力する入力ボックス１１６４が表示されている。この入力ボックス１１６４には、背景画像の画像情報の格納先などを特定可能な情報（特定のＵＲＬなど）が入力される。表示画面１１６０において、「追加」キー１１６５は、１つの地域情報に対して複数の背景画像を入力する際に操作される。
【０１３６】
表示画面１１６０においては、登録された地域情報の登録を指示する「登録」キー１１６６が表示されている。衣装提供支援装置１０１は、表示画面１１６０における「登録」キー１１６６が操作された場合、「登録」キー１１６６が操作された時点において入力されている項目の内容を背景画像データベースに登録する。
【０１３７】
図１１−７において、表示画面１１７０は、衣装提供支援システムへのログイン時に、顧客情報処理端末１０３において表示される、ログイン画面を示している。表示画面１１７０においては、衣装提供支援システムの利用開始に先立って、顧客特定情報を入力するための入力ボックス１１７１が表示されている。
【０１３８】
ログイン画面は、顧客情報処理端末１０３に代えてあるいは加えて、衣装提供支援装置１０１において表示できるようにしてもよい。これにより、衣装提供支援装置１０１が設置されている旅行会社などにおいて、旅行のプランを立てながら並行して衣装を選択し、購入あるいは貸出を依頼することができる。
【０１３９】
上記の表示画面１１１０において、身体情報の登録が完了している顧客は、該当する入力ボックスにＩＤおよびパスワードをそれぞれ入力し、「ＯＫ」キー１１７３を操作する。また、上記の表示画面１１１０において、身体情報の登録が完了していない顧客は、「新規登録」キー１１７２を操作する。上記の表示画面１１１０は、表示画面１１７０において「新規登録」キー１１７２が操作された場合に表示される。
【０１４０】
図１１−８において、表示画面１１８０は、表示画面１１７０の表示中に「ＯＫ」キーが操作された場合に表示される、行き先・日程・同伴者入力画面を示している。表示画面１１８０においては、行き先情報が入力される入力ボックス、この入力ボックスに表示された行き先を訪れる日程を入力する入力ボックス、同伴者の顧客ＩＤを入力する入力ボックスなどの入力ボックス群１１８１が表示されている。同伴者は、「追加」キー１１８２を操作するごとに増やすことが可能とされている。これにより、同伴者として登録できる人数を限定することなく、同伴者すべてを登録することができる。
【０１４１】
表示画面１１８０において、「決定」キー１１８３は、行き先、日程、同伴者を、入力した内容で決定する場合に操作される。衣装提供支援装置１０１は、表示画面１１８０の表示中に「決定」キー１１８３が操作された場合、各入力ボックスに入力された情報を、衣装着用状態データベース７００に登録する。
【０１４２】
表示画面１１８０における「顧客登録」キー１１８４は、操作された場合に表示画面１１０１を表示させる。これにより、既に登録した顧客情報の変更が可能とされている。表示画面１１８０における「店舗登録」キー１１８５は、入力ボックスに表示された行き先において利用する店舗を指定する際に操作される。
【０１４３】
衣装提供支援装置１０１は、表示画面１１８０の表示中に「店舗登録」キー１１８５が操作された場合、入力ボックスに表示された行き先において利用可能な店舗（図１１−２を参照）として登録された、複数の店舗の中から希望する店舗を指定するための表示画面（図示を省略する）を表示させる。
【０１４４】
衣装提供支援装置１０１は、表示画面１１８０の表示中に「観光登録」キー１１８６が操作された場合、入力ボックスに表示された行き先において観光可能な観光地として登録された、複数の地域（図１１−６を参照）の中から希望する観光地を指定するための表示画面（図示を省略する）を表示させる。
【０１４５】
図１１−９において、表示画面１１９０は、表示画面１１８０において「決定」キー１１８３が操作された場合に表示される、衣装選択画面を示している。表示画面１１９０においては、事前に登録した顧客情報に基づく当該顧客のアバター画像１１９１と、表示画面１１８０において指定した地域（行き先）で適した衣装の画像１１９２と、が表示されている。衣装の画像１１９２は、衣装データベース５００から抽出された画像情報に基づいて表示される。
【０１４６】
衣装の画像１１９２は、アバター画像１１９１の周囲を回るように表示され、任意の１着を指定した場合、衣装提供支援装置１０１は、当該指定された衣装の画像１１９２とアバター画像１１９１とを合成し、アバター画像１１９１が指定された衣装を着用しているような着用画像情報を生成する。
【０１４７】
また、表示画面１１９０においては、表示画面１１８０において入力した行き先に対応する店舗や背景画像が複数存在する場合に、衣装を調達する店舗や、着用画像情報の生成に用いる背景画像を選択するための入力欄１１９３が表示されている。入力欄１１９３において、たとえば衣装を調達する店舗が選択された場合、該当する店舗の店舗情報処理端末１０２が備える店舗基本情報データベースが参照され、店舗の基本情報を表示する表示画面が表示される。これにより、顧客が店舗名を指定すると、指定された店舗の基本情報が表示されるので、顧客にとっての店舗選択を支援することができる。着用画像情報の生成に用いる背景画像は、表示画面１１９０に表示された地図１１９４を用いて、所望する地域をクリックなどによって指定することによっても選択することが可能とされている。
【０１４８】
また、表示画面１１９０においては、衣装のジャンルを選択する入力欄１１９５が表示されている。衣装のジャンルは、「検索」キー１１９７が操作された場合に表示される別ウインドウにおいて選択することが可能とされている。
【０１４９】
衣装提供支援装置１０１は、表示画面１１９０の表示中に「決定」キー１１９６が操作された場合、「決定」キー１１９６が操作された時点で指定されている衣装を着用しているような着用画像情報と、表示画面１１９０において選択されている背景画像の画像情報と、を合成した合成画面を表示する。合成画面の表示に先立って、「決定」キー１１９６が操作された時点で指定されている衣装でよいかどうかを確認する表示画面を表示してもよい（図１１−１０を参照）。
【０１５０】
図１１−１０において、表示画面１１１５は、たとえば「これで宜しいですか」などの、「決定」キー１１９６が操作された時点で指定されている衣装でよいかどうかを確認するメッセージ１１１６や、同意する「はい」キー１１１７、同意しない「いいえ」キー１１１８などを示している。また、メッセージ１１１６、「はい」キー１１１７および「いいえ」キー１１１８の背面に、確認する衣装の画像１１１９を表示してもよい。これにより、選択ミスを防止することができる。
【０１５１】
図１２−１、図１２−２、図１２−３および図１２−４は、合成画面の一例を示す説明図である。図１２−１、図１２−２、図１２−３および図１２−４においては、日本からの海外旅行を予定している顧客が日本において衣装の選択をおこなった場合の各種の合成画面を示している。
【０１５２】
図１２−１において、表示画面１２１０は、行き先の地域としてイギリスが指定され、ビッグベンが背景に写る場所を背景画像１２１１に選択した場合の合成画面を示している。表示画面１２１０においては、顧客および同伴者が、それぞれ選択した衣装を着用した着用画像情報１２１２と、選択された背景画像１２１１と、が合成された画像が示されている。表示画面１２１０において、顧客および同伴者は、ともに厚手のコートを着用し、防寒用の帽子や手袋を着用している。
【０１５３】
また、表示画面１２１０においては、現地の通行人など、該当地域（イギリス）において指定した日程における一般的な服装が分かる人物（顧客および同伴者以外の人物）の画像１２１３が表示されている。現地の通行人がダウンジャケットに毛糸のマフラーを着用している。これにより、顧客および同伴者が選択した衣装が、該当する地域および日時において違和感のないものであるかどうかを、当該顧客および同伴者が実際に現地に行く前に確認することができる。
【０１５４】
図１２−２において、表示画面１２２０は、行き先としてドレスコードがあるコンサートホールが指定され、当該コンサートホールの内部の様子が背景に写る場所を背景画像１２２１に選択した場合の合成画面を示している。表示画面１２２０においては、顧客および同伴者が、それぞれ選択した衣装を着用した着用画像情報１２２２と、選択された背景画像１２２１と、が合成された画像が示されている。表示画面１２２０において、顧客および同伴者は、ともにタキシードおよびカクテルドレスを着用している。
【０１５５】
また、表示画面１２２０においては、該当するコンサートホールにおける別の聴衆者など、該当地域（ドレスコードがあるコンサートホール）において指定した日程における一般的な服装が分かる人物（顧客および同伴者以外の人物）の画像１２２３が表示されている。該当するコンサートホールにおける別の聴衆者は、タキシードやドレスを着用している。これにより、顧客および同伴者が選択した衣装が、該当する地域および日時において違和感のないものであるかどうかを、当該顧客および同伴者が実際に現地に行く前に確認することができる。
【０１５６】
図１２−３において、表示画面１２３０は、行き先としてインドが指定され、イスラム建築物が背景に写る場所を背景画像１２３１に選択した場合の合成画面を示している。表示画面１２３０においては、顧客および同伴者が、それぞれ選択した衣装を着用した着用画像情報１２３２と、選択された背景画像１２３１と、が合成された画像が示されている。表示画面１２３０において、顧客および同伴者は、ともにインドの民族衣装を着用している。
【０１５７】
また、表示画面１２３０においては、地元の通行人など、該当地域（インド）において指定した日程における一般的な服装が分かる人物（顧客および同伴者以外の人物）の画像１２３３が表示されている。インドの通行人は、顧客および同伴者が着用している衣装と類似した衣装を着用している。これにより、顧客および同伴者が選択した衣装が、該当する地域および日時において違和感のないものであるかどうかを、当該顧客および同伴者が実際に現地に行く前に確認することができる。
【０１５８】
図１２−４において、表示画面１２４０は、行き先としてメキシコが指定され、日時としてＬａ  Ｒｅｓｕｒｒｅｃｃｉｏｎという宗教的な祭りの開催期間が指定され、当該祭りの様子が背景に写る場所を背景画像１２４１に選択した場合の合成画面を示している。表示画面１２４０においては、顧客および同伴者が、それぞれ選択した衣装を着用した着用画像情報１２４２と、選択された背景画像１２４１と、が合成された画像が示されている。表示画面１２４０において、顧客および同伴者は、ともに祭り用衣装を着用し、祭りに用いる小道具類を携帯している。
【０１５９】
また、表示画面１２４０においては、祭りに参加している現地の人や観客など、該当地域（メキシコ）において指定した日程における代表的な衣装が分かる人物（顧客および同伴者以外の人物）の画像１２４３が表示されている。祭りに参加している現地の人は、顧客および同伴者が着用している衣装と類似した衣装を着用している。これにより、顧客および同伴者が選択した衣装が、該当する地域および日時において違和感のないものであるかどうかを、当該顧客および同伴者が実際に現地に行く前に確認することができる。
【０１６０】
表示画面１２１０、１２２０、１２３０、１２４０に示したような合成画面においては、「戻る」キー１２０１と「登録」キー１２０２とが表示されている。「戻る」キー１２０１は、たとえば表示された合成画面の内容では納得がいかない、満足できない場合に操作される。合成画面の表示中に「戻る」キー１２０１が操作された場合、表示画面１１９０に戻る。
【０１６１】
「登録」キー１２０２は、表示された合成画面の内容で、該当する衣装の購入あるいは貸出を依頼する場合に操作される。合成画面の表示中に「登録」キー１２０２が操作された場合、「登録」キー１２０２の操作を受け付けた顧客情報処理端末１０３から当該操作の内容を示す情報（購入あるいは貸出を依頼する衣装の情報や操作をおこなった顧客を特定可能な情報など）が衣装提供支援装置１０１に送信される。
【０１６２】
衣装提供支援装置１０１は、この情報を受信した場合に、受信した情報に基づいて、衣装の依頼情報を生成する。生成された衣装の依頼情報は、カード会社サーバ１０４を経由して該当する店舗情報処理端末１０２に送信される。これにより、カード会社サーバ１０４経由で購入または貸出を依頼することができる。
【０１６３】
また、表示画面１２１０、１２２０、１２３０、１２４０に示したような合成画面においては、「照会」キー１２０３が表示されている。「照会」キー１２０３は、たとえば表示画面１２１０、１２２０、１２３０、１２４０に示した合成画面の表示中に操作された場合に、当該合成画面に表示されている衣装を提供する店舗の基本情報や、当該店舗における該当する衣装の在庫状況（図１１−４を参照）を照会する際に操作される。
【０１６４】
「照会」キー１２０３が操作された場合、衣装提供支援装置１０１を介して、該当する店舗の店舗情報処理端末１０２が備える店舗基本情報データベースから、「照会」キー１２０３が操作された時点において表示されていた衣装に関する在庫情報や、当該衣装を提供する店舗の基本情報や、が抽出され、該当する顧客情報処理端末１０３に送信される。顧客情報処理端末１０３における店舗の基本情報の取得は、衣装提供支援装置１０１を介するものに限らず、顧客情報処理端末１０３と店舗情報処理端末１０２との間で直接おこなってもよい。
【０１６５】
図１３は、決済情報入力画面の一例を示す説明図である。図１３において、表示画面１３００は、合成画面の表示中に「登録」キー１３１１が操作された場合に表示される、決済情報入力画面を示している。表示画面１３００においては、衣装の購入あるいは貸出を依頼する顧客の顧客特定情報やカード番号など、決済に必要な情報を入力する入力ボックス群１３１０が表示されている。
【０１６６】
表示画面１３００における入力ボックス群１３１０のうち、顧客データベース４００に登録されている情報と同一の情報を入力する入力ボックスについては、顧客データベース４００に登録されている情報に基づいて、あらかじめ該当する情報を入力した表示画面１３００を表示してもよい。表示画面１３００における入力ボックス群への必要事項の入力が完了し、「登録」キー１３１１が操作された場合、合成画面において表示されていた衣装の購入あるいは貸出が決定され、該当する衣装の購入あるいは貸出にかかるカード決済がおこなわれる。
【０１６７】
衣装提供支援システムにおいては、特に、表示画面１２４０のような、地域および日時が限定される衣装の貸出を受けることができるので、一生に一度しか着用する機会がないような特定の衣装であっても、自分にあったサイズの衣装を購入することなく着用し、祭りなどのイベントに参加することができる。
【０１６８】
以上説明したように、この実施の形態の衣装提供支援装置１０１は、顧客に関する情報と、当該顧客の身体サイズに関する情報と、当該顧客の画像情報と、を関連付けして登録する顧客データベース４００と、地域に関する情報と、当該地域での日時に対応する衣装に関する情報と、当該衣装の画像情報と、を関連付けして登録する衣装データベース５００と、地域に関する情報と、当該地域での日時に対応する背景画像に関する情報とを関連付けして登録する背景データベース６００と、顧客に関する情報、地域情報および日時情報の入力を受け付ける入力部９０１と、入力部９０１によって入力された地域情報および日時情報に基づいて、背景データベース６００から地域の背景画像に関する情報を抽出する背景情報抽出部９０２と、入力部９０１によって入力された顧客に関する情報に基づいて、当該顧客の身体サイズに関する情報および当該顧客の画像情報を顧客データベース４００から抽出する顧客情報抽出部９０３と、入力部９０１によって入力された地域情報および日時情報に基づいて、衣装に関する情報および当該衣装の画像情報を衣装データベース５００から抽出する衣装情報抽出部９０４と、背景情報抽出部９０２によって抽出された背景画像に関する情報に、顧客情報抽出部９０３によって抽出された顧客の画像情報および衣装情報抽出部９０４によって抽出された衣装の画像情報を合成する画像合成部９０５と、顧客情報抽出部９０３によって抽出された顧客の身体サイズに関する情報および衣装情報抽出部９０４によって抽出された衣装に関する情報に基づいて、当該衣装の購入または貸出依頼情報を生成する生成部９０６と、を備えたことを特徴としている。
【０１６９】
この実施の形態の衣装提供支援装置１０１によれば、顧客の身体に適合するサイズであって、指定された地域における指定された日時に適した衣装を、顧客が着用しているような画像を合成することによって、たとえば海外旅行先などのように顧客の日常の活動拠点から遠く離れた地域における特定の日時に適した衣装の中から顧客の要望に適した衣装を、顧客の日常の活動拠点において検索させることができる。
【０１７０】
また、この実施の形態の衣装提供支援装置１０１によれば、指定された地域における指定された日時に適した衣装の中から顧客の要望に適した衣装を着用しているような顧客自身の画像を、指定した地域の背景画像に重ね合わせることによって、たとえば海外旅行先などのように顧客の日常の活動拠点から遠く離れた地域における特定の日時に適した衣装を、現地で着用した顧客自身をシミュレーションさせながら、顧客の日常の活動拠点において検索させることができる。
【０１７１】
また、この実施の形態の衣装提供支援装置１０１によれば、指定された地域における指定された日時に適した衣装の中から、顧客の要望に適した衣装の購入または貸出を依頼する情報を、顧客に対して、当該顧客が日常の活動拠点にいながらにしておこなわせることができる。これによって、たとえば海外旅行先などのように顧客の日常の活動拠点から遠く離れた地域における特定の日時に適した衣装の中から顧客の要望に適した衣装の購入または貸出の依頼を、顧客の日常の活動拠点においておこなわせることができる。
【０１７２】
このように、この実施の形態の衣装提供支援装置１０１によれば、顧客に対して、日常の活動拠点では体感できない遠隔地における特定の日時に適した衣装を着用した顧客自身が、現地にいるような画像を合成することによって、顧客の日常の活動拠点において、指定された日時に指定された地域にいる顧客自身をシミュレーションさせることができる。これによって、衣装の準備にかかる顧客の負担を抑えつつ、衣装を着用する地域（場所）や日時などの状況に適した、最適な衣装を顧客に提供することができる。
【０１７３】
そして、この実施の形態の衣装提供支援システムを用いることにより、現地での見栄えを事前に確認し、気に入った衣装を事前に購入または借用しておくことができるので、現地に行ってから予定とは異なる事態が発生して慌てたり、想像とは異なる風土に戸惑ったりすることをなくし、衣装の選択にかかる現地での顧客の負担をなくすことができる。
【０１７４】
すなわち、この実施の形態の衣装提供支援装置１０１によれば、該当する地域に実際におもむくよりも前に、顧客の活動拠点において、該当する地域や該当する日時に応じた、かつ、当該顧客の身体サイズに合った最適な衣装を、選択することができる。これによって、顧客は、該当する地域を訪れた際には、衣装のことに頭を悩ませることなく、該当する地域での活動に専念することができる。
【０１７５】
また、この実施の形態の衣装提供支援装置１０１によれば、該当する地域に実際におもむくよりも前に、顧客の活動拠点において、該当する地域や該当する日時に応じた、かつ、当該顧客の身体サイズに合った最適な衣装を、該当する地域に実際におもむいた際に着用することができるように手配することができる。これによって、顧客は、該当する地域を訪れた際には、衣装のことに頭を悩ませることなく、該当する地域での活動に専念することができる。
【０１７６】
さらに、この実施の形態の衣装提供支援装置１０１によれば、地域や日時に応じた最適な衣装を該当する地域にもっていくことなく、該当する地域において調達することができる。これによって、海外旅行などに際して、もっていく衣装を少なくして荷物を極力少なく抑えた場合にも、該当する地域ごとに、顧客が希望する衣装を着用することができ、衣装のバリエーションを広げることができる。これにより、顧客が、衣装のことに頭を悩ませることなく、該当する地域での活動に専念し、満喫することができる。
【０１７７】
また、この実施の形態の衣装提供支援装置１０１は、生成された情報にかかる衣装に関する情報のうちの当該衣装を扱う店舗に関する情報に基づいて、生成部９０６によって生成された情報を、当該店舗の情報処理端末へ送信する生成情報送信部９０７を備えたことを特徴としている。
【０１７８】
この実施の形態の衣装提供支援装置１０１によれば、顧客の要望に適した衣装の販売あるいは貸出をおこなう店舗が、たとえば海外旅行先などのように顧客の日常の活動拠点から遠く離れた地域に存在する場合にも、当該店舗に対する購入あるいは貸出の依頼を顧客が直接おこなうことができる。これによって、顧客が要望する衣装の購入あるいは貸出の依頼を第三者を介しておこなう場合と比較して、手続きの行き違いの発生をなくし、顧客に対して当該顧客が要望する衣装を確実に調達させることができる。
【０１７９】
また、この実施の形態の衣装提供支援装置１０１は、画像合成部９０５によって合成された画像情報を、顧客情報処理端末１０３へ送信する画像情報送信部９０８を備えたことを特徴としている。この実施の形態の衣装提供支援装置１０１によれば、顧客が要望に適した衣装を着用しているような画像を、当該顧客が見たいときにいつでも確認させることができる。
【０１８０】
これによって、顧客は、当該顧客情報処理端末１０３に送信された画像情報に基づく画像を、友人などに見せて衣装についての賛否を確認するなどして事前準備のために活用することができ、たとえば海外旅行先などのように顧客の日常の活動拠点から遠く離れた地域での衣装を充実させ、準備作業を支援することができる。
【０１８１】
また、この実施の形態の衣装提供支援装置１０１は、画像情報送信部９０８が、画像情報とともに、当該衣装の価格に関する情報を送信することを特徴としている。この実施の形態の衣装提供支援装置１０１によれば、実際に着用する前に衣装の購入あるいは貸出にかかる価格を認識させることができる。これによって、実際に購入あるいは貸出を受ける際に、価格に関する認識の違いによるトラブルの発生を防止することができる。
【０１８２】
また、この実施の形態の衣装提供支援装置１０１は、顧客情報処理端末１０３からの購入または貸出指示を受信する受信部９０９を備え、生成部９０６が、受信部９０９によって受信された指示に基づいて、当該衣装の購入または貸出依頼情報を生成することを特徴としている。この実施の形態の衣装提供支援装置１０１によれば、顧客の身体に適合するサイズであって、指定された地域における指定された日時に適した衣装の購入あるいは貸出の依頼を、顧客情報端末装置１０３からおこなうことができる。これによって、顧客に対して、このシステムの利用場所を限定することなく、利用しやすいシステムを提供することで、顧客の利便性の向上を図ることができる。
【０１８３】
また、この実施の形態の衣装提供支援装置１０１は、顧客データベース４００には、顧客の同伴者についても、顧客と同様の情報を登録してあり、入力部９０１が、顧客の同伴者に関する情報を入力し、画像合成部９０５が、同伴者も含めて合成し、生成部９０６が、同伴者の衣装の購入または貸出依頼情報を生成することを特徴としている。
【０１８４】
この実施の形態の衣装提供支援装置１０１によれば、顧客単独ではなく、同伴者の衣装についても同様に検索させることができ、顧客および同伴者の双方の衣装のバランスを考慮に入れた衣装の検索をおこなわせることができる。これによって、たとえば海外旅行先などのように顧客の日常の活動拠点から遠く離れた地域において、顧客だけあるいは同伴者だけが周囲から浮き上がってしまうことを防止し、行動を共にする全員が該当する地域を訪れた際に、衣装のことに頭を悩ませることなく、該当する地域での活動に専念することができる。
【０１８５】
また、この実施の形態の衣装提供支援装置１０１によれば、顧客単独ではなく、同伴者の衣装についても同様に購入あるいは貸出を受けることができるので、行動を共にする全員が、実際に購入あるいは貸出を受ける際に、価格に関する認識の違いによるトラブルの発生を防止することができる。
【０１８６】
なお、この実施の形態で説明した衣装提供支援方法は、あらかじめ用意されたプログラムをパーソナルコンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワーク１０５を介して配布することが可能な伝送媒体であってもよい。
【産業上の利用可能性】
【０１８７】
以上のように、この発明にかかる衣装提供支援装置１０１、衣装提供支援方法および衣装提供支援プログラムは、実際に着用することなく顧客の要望に合致した衣装の提供を支援する衣装提供支援装置１０１、衣装提供支援方法および衣装提供支援プログラムに有用であり、特に、不要な荷物を極力少なく抑えたい海外旅行時などに着用する衣装の提供を支援する衣装提供支援装置１０１、衣装提供支援方法および衣装提供支援プログラムに適している。
【符号の説明】
【０１８８】
１０１  衣装提供支援装置
４００  顧客データベース
５００  衣装データベース
６００  背景データベース
９０１  入力部
９０２  背景情報抽出部
９０３  顧客情報抽出部
９０４  衣装情報抽出部
９０５  画像合成部
９０６  生成部
９０７  生成情報送信部
９０８  画像情報送信部
９０９  受信部
【図１】
2010250754.tif 000003
【図２】
2010250754.tif 000004
【図３】
2010250754.tif 000005
【図４】
2010250754.tif 000006
【図５】
2010250754.tif 000007
【図６】
2010250754.tif 000008
【図７】
2010250754.tif 000009
【図８】
2010250754.tif 000010
【図９】
2010250754.tif 000011
【図１０】
2010250754.tif 000012
【図１１−１】
2010250754.tif 000013
【図１１−２】
2010250754.tif 000014
【図１１−３】
2010250754.tif 000015
【図１１−４】
2010250754.tif 000016
【図１１−５】
2010250754.tif 000017
【図１１−６】
2010250754.tif 000018
【図１１−７】
2010250754.tif 000019
【図１１−８】
2010250754.tif 000020
【図１１−９】
2010250754.tif 000021
【図１１−１０】
2010250754.tif 000022
【図１２−１】
2010250754.tif 000023
【図１２−２】
2010250754.tif 000024
【図１２−３】
2010250754.tif 000025
【図１２−４】
2010250754.tif 000026
【図１３】
2010250754.tif 000027